【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
データーを収容するコンテナについての評判を作成する方法であって、
作者によって作成されたコンテナであってネットワークに伝達され該ネットワークに格納されたコンテナを、ユーザーが検討することを可能にするステップであって、前記コンテナが複数の項目を含み、該項目が、
複数のメディア・ファイルと、
計算デバイスでの表示のため前記メディア・ファイルに対する関係データと、
を含む、ステップと、
前記コンテナの意見格付けを、ユーザーが公表することを可能にするステップと、
前記意見格付けおよびユーザー識別を格納するステップと、
前記意見格付けおよび前記ユーザー識別をデーターベースに追加するステップと、
前記コンテナについての評判を計算するために、前記データーベースにあるデーターを用いるステップと、
を含む、方法。
【請求項２】
請求項１記載の方法であって、更に、前記コンテナを携帯用メディア・プレーヤにダウンロードし格納するステップを含む、方法。
【請求項３】
請求項１記載の方法であって、更に、同じコンテナについて類似の意見格付けを有するユーザーをグループの一部とするように選択することによって、共通の関心を有すると思われるユーザーのグループを作成するステップを含む、方法。
【請求項４】
請求項１記載の方法において、前記コンテナについての評判を計算するステップは、更に、前記コンテナの格付けの加重平均を作成するステップを含む、方法。
【請求項５】
請求項４記載の方法であって、更に、以前のコンテナの加重平均格付けと類似の格付けを当該以前のコンテナに対して行ったユーザーに、増加した重みを加算するステップを含む、方法。
【請求項６】
請求項４記載の方法であって、以前のコンテナの加重平均格付けと非類似の格付けを、当該以前のコンテナに対して行ったユーザーに、減少した重みを加算するステップを含む、方法。
【請求項７】
請求項４記載の方法であって、更に、前記コンテナを長期間用いているユーザーには、前記コンテナを短期間用いているユーザーよりも、大きな重みを加算するステップを含む、方法。
【請求項８】
請求項４記載の方法であって、更に、より多くネットワークを用いたユーザー、およびより最近ネットワークを用いたユーザーを含む群から選択したユーザーに、増加した重みを加算するステップを含む、方法。
【請求項９】
請求項４記載の方法であって、更に、類似のコンテナの以前の格付けを用いて、ユーザーの格付けの予測を作成し、前記予測したユーザーの格付けに近いユーザーの格付けに大きな重みを加算するステップを含む、方法。
【請求項１０】
請求項４記載の方法であって、更に、以前に作者によって作成されたコンテナのユーザーの共同体によって、以前の格付けを用いて、ユーザーの格付けの予測を作成し、前記予測したユーザーの格付けに近いユーザーの格付けに大きな重みを加算するステップを含む、方法。
【請求項１１】
コンピューター記憶媒体であって、
作者によって作成されたコンテナであってネットワークに伝達され該ネットワークに格納されたコンテナを、ユーザーが検討することを可能にし、前記コンテナが複数の項目を含み、該項目が、
複数のメディア・ファイルと、
計算デバイスでの表示のため前記メディア・ファイルに対する関係データと、
を含み、
前記コンテナの意見格付けを、ユーザーが公表することを可能にし、
前記意見格付けおよびユーザー識別を格納し、
前記意見格付けおよび前記ユーザー識別をデーターベースに追加し、
前記コンテナについての評判を計算するために、前記データーベースにあるデーターを用い、
前記コンテナを携帯用メディア・プレーヤにダウンロードし格納すること、
によってデーターを収容するコンテナについての評判を作成するコンピューター実行可能命令を含むコンピューター記憶媒体。
【請求項１２】
請求項１１記載のコンピューター記憶媒体であって、更に、同じコンテナについて類似の意見格付けを有するユーザーをグループの一部とするように選択することによって、共通の関心を有すると思われるユーザーのグループを作成するコンピューター実行可能命令を含む、コンピューター記憶媒体。
【請求項１３】
請求項１１記載のコンピューター記憶媒体において、前記コンテナについての評判を計算することは、更に、前記コンテナの格付けの加重平均を作成することを含む、コンピューター記憶媒体。
【請求項１４】
請求項１１記載のコンピューター記憶媒体であって、更に、以前のコンテナの加重平均格付けと類似の格付けを該以前のコンテナに対して行ったユーザーに、増加した重みを加算し、以前のコンテナの加重平均格付けと非類似の格付けを当該以前のコンテナに対して行ったユーザーに、減少した重みを加算するコンピューター実行可能命令を含む、コンピューター記憶媒体。
【請求項１５】
請求項１１記載のコンピューター記憶媒体であって、更に、前記コンテナを長期間用いているユーザーには、前記コンテナを短期間用いているユーザーよりも、大きな重みを加算するコンピューター実行可能命令を含む、コンピューター記憶媒体。
【請求項１６】
請求項１１記載のコンピューター記憶媒体であって、更に、類似のコンテナの以前の格付けを用いて、ユーザーの格付けの予測を作成し、前記予測したユーザーの格付けに近いユーザーの格付けに大きな重みを加算するコンピューター実行可能命令を含む、コンピューター記憶媒体。
【請求項１７】
コンピューター実行可能命令を実行するように物理的に構成されたプロセッサと、コンピューター実行可能命令を格納し処理することを補助するメモリーと、入力／出力回路とを含むコンピューター・システムであって、前記コンピューター実行可能命令が、
作者によって作成されたコンテナであってネットワークに伝達され該ネットワークに格納されたコンテナを、ユーザーが検討することを可能にし、前記コンテナが複数の項目を含み、該項目が、
複数のメディア・ファイルと、
計算デバイスでの表示のため前記メディア・ファイルに対する関係データと、
を含み、
前記コンテナの意見格付けを、ユーザーが公表することを可能にし、
前記意見格付けおよびユーザー識別を格納し、
前記意見格付けおよび前記ユーザー識別をデーターベースに追加し、
前記コンテナについての評判を計算するために、前記データーベースにあるデーターを用い、前記コンテナについての評判を計算することは、更に、前記コンテナの格付けの加重平均を作成することを含み、
前記コンテナを携帯用メディア・プレーヤにダウンロードし格納する、
命令を含む、コンピューター・システム。
【請求項１８】
請求項１７記載のコンピューター・システムであって、更に、同じコンテナについて類似の意見格付けを有するユーザーをグループの一部とするように選択することによって、共通の関心を有すると思われるユーザーのグループを作成するコンピューター実行可能命令を含む、コンピューター・システム。
【請求項１９】
請求項１７記載のコンピューター・システムであって、更に、以前のコンテナの加重平均格付けと類似の格付けを当該以前のコンテナに格付けしたユーザーに、増加した重みを加算し、以前のコンテナの加重平均格付けと非類似の格付けを該以前のコンテナに対して行ったユーザーに、減少した重みを加算するコンピューター実行可能命令を含む、コンピューター・システム。
【請求項２０】
請求項１７記載のコンピューター・システムであって、更に、類似のコンテナの以前の格付けを用いて、ユーザーの格付けの予測を作成し、前記予測したユーザーの格付けに近いユーザーの格付けに大きな重みを加算するコンピューター実行可能命令を含む、コンピューター・システム。